(57)【要約】【課題】  飲料ボトルがその口に取り付けた手動開閉式バルブ体が下になるように逆さま状態で冷却室に収容され、手動開閉式バルブ体が冷却室の下方に配置した飲料供給部の上部に露出する飲料供給機にあっては、手動開閉式バルブ体の外面に露付きを生じ、これに雑菌が付着して不衛生になり好ましくない。本発明は、手動開閉式バルブの外面に露付が生じ難いようにして、手動開閉式バルブを衛生的に維持できるようにするものである。【解決手段】  飲料ボトルがその口に取り付けた手動開閉式バルブ体が下になるように逆さま状態で冷却室に収容され、手動開閉式バルブ体が冷却室の下方に配置した飲料供給部の上部に露出する飲料供給機であって、手動開閉式バルブ体を下方から密閉状態に覆う断熱性カバーを飲料供給部の上壁に着脱自在に備えたこと。【選択図】図１
2009154918.tif 000002
【特許請求の範囲】
【請求項１】
飲料ボトルがその口に取り付けた手動開閉式バルブ体が下になるように逆さま状態で冷
却室に収容され、前記手動開閉式バルブ体が前記冷却室の下方に配置した飲料供給部の上
部に露出する飲料供給機であって、前記手動開閉式バルブ体を下方から密閉状態に覆う断
熱性カバーを前記飲料供給部の上壁に着脱自在に備えたことを特徴とする飲料供給機。
【発明の詳細な説明】
【技術分野】
【０００１】
本発明は、飲料供給機本体の前面に飲料供給部が形成され、前記飲料供給部の上方に冷
却飲料貯蔵部を備え、前記飲料供給部の上部に前記冷却飲料貯蔵部の飲料を注出する手動
開閉式バルブ体が飲料注出口を下方に向けて露出した飲料供給機に関する。
【背景技術】
【０００２】
飲料水を収容したボトル６が口を下側にして上部空間４に斜めに収納され、この冷水を
供給するものがある。これは、ボトル６がエバポレータ５に重力によって押し付けられる
ようになっており、上部空間４にはボトル６の出し入れ用の断熱性上部扉１ｂが設けられ
、上部扉１ｂは、ボトル６内の冷水の残量が見えるようにその一部がガラスになっている
。そして、ボトル６の口は、リザーブタンク８に臨み、ボトル６の口がリザーブタンク８
の水面と接触して塞がれる状態まで、ボトル６からリザーブタンク８へ冷水が供給される
。
【０００３】
ボトル６からリザーブタンク８へ冷水が供給される仕組みは、ボトル６の口のキャップ
に設けたバネ付勢されたバルブ４２が、リザーブタンク８内のピン４８によって上方へ押
されることによってバルブ４２が開くようになっている。リザーブタンク８の冷水は、リ
ザーブタンク８に接続した注出バルブ９を開くことによって、リザーブタンク８の水頭圧
によって冷水が注出されるようになっている。注出バルブ９の下方には、供給時のこぼれ
る冷水を受けるドリップパン１０が設けられている。（特許文献１参照）。
【特許文献１】特開２００６−３２７５９３号公報
【発明の開示】
【発明が解決しようとする課題】
【０００４】
この従来技術のウォータディスペンサーにおいて、注出バルブ９は外部に露出した状態
であるため、冷水によって冷却されて注出バルブ９の外面に露付きを生じる虞がある。露
付きが生じるとこれに雑菌が付着して不衛生になり好ましくない。また、注出バルブ９を
開いてコップへ冷水を注出するとき、この露がコップに入る虞もある。特に、リザーブタ
ンクを設けずに、注出バルブをボトルに直接取り付ける場合には、この注出バルブが更に
冷却されることとなり、露付きが多くなる。このため、この露を布巾などで拭き取る作業
も頻繁に行わなければならず面倒である。
【０００５】
本発明は、このような露付きによって不衛生になる課題を解決するものであり、特に、
飲料ボトルの口に飲料を注出する手動開閉式バルブを取り付ける形態において、手動開閉
式バルブの外面に露付が生じ難いようにして、手動開閉式バルブを衛生的に維持できるよ
うにするものである。
【課題を解決するための手段】
【０００６】
第１発明の飲料供給機は、飲料ボトルがその口に取り付けた手動開閉式バルブ体が下に
なるように逆さま状態で冷却室に収容され、前記手動開閉式バルブ体が前記冷却室の下方
に配置した飲料供給部の上部に露出する飲料供給機であって、前記手動開閉式バルブ体を
下方から密閉状態に覆う断熱性カバーを前記飲料供給部の上壁に着脱自在に備えたことを
特徴とする。
【発明の効果】
【０００７】
第１発明の飲料供給機は、飲料ボトルの口に手動開閉式バルブ体を取り付けたものであ
るため、冷却室に収容された飲料ボトルの冷却によって、この手動開閉式バルブ体が冷却
され易くなるが、飲料注出を行わないときは、断熱性カバーを取り付けることによって、
手動開閉式バルブ体が断熱性カバーで覆われ、手動開閉式バルブ体への露つきを防止でき
る。このため、手動開閉式バルブ体の表面に付着する露に雑菌が繁殖して不衛生になるこ
とが抑制できる。
【発明を実施するための最良の形態】
【０００８】
本発明の飲料供給機は、飲料ボトルがその口に取り付けた手動開閉式バルブ体が下にな
るように逆さま状態で冷却室に収容され、前記手動開閉式バルブ体が前記冷却室の下方に
配置した飲料供給部の上部に露出する飲料供給機であって、前記手動開閉式バルブ体を下
方から密閉状態に覆う断熱性カバーを前記飲料供給部の上壁に着脱自在に備えたものであ
り、以下に、本発明の実施例を記載する。
【実施例１】
【０００９】
本発明に係る飲料供給機の実施形態について説明する。図１は本発明に係る飲料供給機
の縦断側面図、図２は本発明に係る飲料供給機の説明用斜視図、図３は本発明に係るコッ
プ状断熱性カバーの断面図、図４は本発明に係る断熱性カバーを飲料供給部の上壁に着脱
自在に取り付ける構成の１つを示す断面正面、図５は本発明に係る断熱性カバーとその取
付部である飲料供給部の上壁部分を示す分解斜視図である。
【００１０】
これらの図において、１は飲料供給機であり、上部に冷却室３が形成され前面に飲料供
給部３０を形成した飲料供給機本体１Ａと、冷却室３の上面開口３Ａを開閉する蓋７で構
成している。飲料供給機本体１Ａには、ポリエチレンテレフタレート（以下、ＰＥＴとい
う）等のボトル容器に飲料を収容した飲料ボトル２が、その口２Ａを下側にした逆さま状
態て冷却室３に収納され、この状態で飲料ボトル２の口２Ａに取り付けた手動開閉式バル
ブ体４が飲料供給部３０に臨むように冷却室３外に露出している。飲料供給部３０におい
て、手動開閉式バルブ体４の開成操作によって、飲料注出口５から飲料供給が行われる。
飲料供給機本体１Ａの前面下部には、飲料注出口５部分から落下する水滴等を受ける上面
開口の水受け皿６を下部に備えている。
【００１１】
冷却室３は、上面開口３Ａから飲料ボトル２の収納取り出しができるようになっており
、上面開口３Ａが着脱自在な蓋７で覆われ、下部に手動開閉式バルブ体４の挿入部８を備
え、挿入部８に手動開閉式バルブ体４が挿入された状態で飲料ボトル２が略垂直状態に収
納される。手動開閉式バルブ体４の挿入部８には、飲料ボトル２の肩部２Ｂを受け止める
受け部９を形成しており、受け部９において冷却室３内の冷気漏れを防ぐために、弾力性
の環状シール材２３が取り付けられ、この環状シール材２３によって実質的に受け部９が
形成されている。これによって、飲料ボトル２を冷却室３に逆さま状態に収納したとき、
飲料ボトル２の口２Ａに近い側で肩部２Ｂによって、環状シール材２３が飲料ボトル２の
荷重によって押し圧状態となり、挿入部８における冷気漏れが良好にシールされる。
【００１２】
冷却室３は断熱構成である。この断熱構成は、発泡ウレタン等の断熱材ＵＲが、内殻４
０Ａと外殻４０Ｂとの間に充填または装填された断熱構成である。蓋７も冷却室３の冷却
温度維持のために、発泡ウレタン等の断熱材ＵＲを内殻４１Ａと外殻４１Ｂとの間に充填
または装填された断熱構成である。
【００１３】
手動開閉式バルブ体４は、予め飲料ボトル２の口２Ａに手動開閉式バルブ体４を取り付
けた状態で冷却室３へ逆さま状態に収納する場合と、飲料ボトル２を冷却室３に逆さま状
態に収納した後に手動開閉式バルブ体４を取り付ける場合のいずれでもよい。
【００１４】
飲料ボトル２を冷却室３に逆さま状態に収納する前に、予め飲料ボトル２の口２Ａに手
動開閉式バルブ体４を取り付けた状態で、手動開閉式バルブ体４が挿入部８を通り抜ける
ように挿入して、冷却室３に逆さま状態に飲料ボトル２を収納する。このため、手動開閉
式バルブ体４の外形は、挿入部８を通り抜け得るような大きさの形態である。図示の手動
開閉式バルブ体４は、外形を小さくするためにバルブの開閉操作部４Ａは、使用者が指で
ボタン部４Ｂを押すことによりバルブが開き、指で押している間に飲料が供給されるプッ
シュ式を示している。この他に、手動開閉式バルブ体４は、使用者が持ったコップで押す
ことによりバルブが開く構成のものや、また使用者が指でレバーを左右方向へ回動させる
ことによりバルブが開く構成のもの等、いろいろな形態の手動開閉式バルブ体４を適用す
ることができる。
【００１５】
また、飲料ボトル２の口２Ａがシール材で塞がれた状態の飲料ボトル２を採用し、この
飲料ボトル２をその口２Ａが挿入部８を通り抜けるように挿入して冷却室３に逆さま状態
に収納する。この状態で、飲料ボトル２の口２Ａの外周面に形成した螺旋部へ、飲料供給
部３０側から手動開閉式バルブ体４を螺合させる。この螺合の最終段階において、飲料ボ
トル２の口２Ａを塞いだ前記シール材を突き破る先鋭部を手動開閉式バルブ体４に形成し
ておけば、この螺合によって、飲料ボトル２内から飲料注出口５に至る一連の飲料通路が
形成されることとなり、手動開閉式バルブ体４が無い分、飲料ボトル２のコスト低下を図
ることができる。
【００１６】
飲料供給機本体１Ａは、冷却室３の後側に冷却装置１２を配置している。冷却装置１２
は、圧縮機１３で圧縮した冷媒が放熱器１４で放熱し減圧部１５で減圧され冷却室３を冷
却する冷却器１６で蒸発した後、再び圧縮機１３へ帰還する冷媒サイクルを構成し、放熱
器１４によって水受け皿６の水を加温蒸発させる構成でもよい。
【００１７】
冷却器１６は、図で明らかなように、冷却室３に逆さま状態に収納された飲料ボトル２
の胴部の周囲を包むように、飲料ボトル２の外形に近似した形状の表側の冷却面が冷却室
３に露出しており、冷却器１６の外面周囲（背面側の周囲）が断熱材ＵＲで覆われた状態
である。これによって、冷却室３に逆さま状態に収納された飲料ボトル２は、冷却器１６
の冷却面によって冷却が促進されるため、冷却室３の冷気循環用のファンを設けなくても
よい。
【００１８】
清掃等のために水受け皿６を出し入れし易いようにするために、水受け皿６は飲料供給
機１の前面に着脱自在である。その構成の１つとして、飲料供給部３０の前面壁の下部に
、上下及び左右係止孔２１Ａ、２１Ｂが形成され、水受け皿６の後壁にはこの係止孔２１
Ａ、２１Ｂに対応する関係に係止片２０Ａ、２０Ｂが突出形成されている。これによって
、水受け皿６の係止片２０Ａ、２０Ｂを係止孔２１Ａ、２１Ｂに挿入した状態で、水受け
皿６を下方へ押すことによって、係止片２０Ａ、２０Ｂが係止孔２１Ａ、２１Ｂの下端に
移動して係止状態となり、水受け皿６の後壁が飲料供給部３０の前面壁に当接して、水受
け皿６が飲料供給機１の前面に略水平状態に保持される。水受け皿６の取り外しは、この
取り付け順序とは逆順序で行なえばよい。
【００１９】
水受け皿６には、コップを載置するためのスノコ状のコップ載置部材１７が着脱自在に
載置されている。コップ載置部材１７は、略平坦な板状に形成され、スノコ機能のための
複数の貫通孔１７Ａを形成し、コップ載置部材１７の周縁部が水受け皿６の上面開口周縁
部に形成した載置段部６Ａに載置されて保持される。
【００２０】
本発明の飲料供給機１は、飲料ボトル２の口２Ａに手動開閉式バルブ体４を取り付けた
ものを、手動開閉式バルブ体４が挿入部８を通り抜けるように挿入して冷却室３に逆さま
状態に収納する。このようにして冷却室３に収容された飲料ボトル２は、冷却によって手
動開閉式バルブ体４も冷却され、手動開閉式バルブ体４の外面へ露付きを生じることがあ
る。本発明は、これ抑制するために、飲料注出を行わないときは、手動開閉式バルブ体４
を覆う断熱性カバー３５を飲料供給機１に着脱自在に取り付けるように構成している。
【００２１】
断熱性カバー３５は、発泡ウレタン等の断熱材ＵＲを内殻３６Ａと外殻３６Ｂとの間に
充填または装填された断熱構成であり、上面開口３７の取っ手３８付きコップ状（カップ
状）をなし、上面開口３７の周縁部が飲料供給部３０の上壁に密着状態に取り付けられる
構成である。断熱性カバー３５を飲料供給部３０の上壁に密着状態に取り付ける構成の１
つとして、断熱性カバー３５の上面開口３７の周縁部に永久磁石３９Ａが環状に取り付け
られ、この永久磁石３９Ａに対応するように、飲料供給部３０の上壁の挿入部８の周縁部
に、永久磁石３９Ｂが環状に取り付けられている。
【００２２】
この構成によって、飲料注出を行わないときは、手動開閉式バルブ体４を下方から覆う
ように断熱性カバー３５を持ち上げ、永久磁石３９Ａを永久磁石３９Ｂに吸着させること
によって、断熱性カバー３５の上面開口３７の周縁部が飲料供給部３０の上壁の挿入部８
の周縁部に密着し、手動開閉式バルブ体４への露付きを防止する。断熱性カバー３５の取
り外しは、取っ手３８の反対側を軸として取っ手３８を持って断熱性カバー３５を下方へ
回動させるようにすれば、取り外しが楽である。なお、この着脱操作を容易にするために
、永久磁石３９Ａと永久磁石３９Ｂの吸着力を適宜に選ぶか、永久磁石３９Ａと永久磁石
３９Ｂの形状を環状ではなく、例えば、円弧状の複数の磁石を間隔を存して円形状に配置
する等の工夫をすればよい。
【００２３】
断熱性カバー３５は上面開口３７の取っ手３８付きコップ状をなすことによって、取り
付けと取り外しがし易くなると共に、断熱性カバー３５を取り付けた状態のデザイン効果
も向上したものとなる。
【００２４】
断熱性カバー３５を飲料供給部３０の上壁に密着状態に着脱自在に取り付けるための他
の構成を図４及び図５に示す。これにおいて、飲料供給部３０の上壁の挿入部８の周辺に
は、円形状に配置した複数（３〜４箇所）の係止部４５が形成され、一方の断熱性カバー
３５の上面開口３７の周縁部には、円形状に配置した複数（３〜４箇所）の係止部３５Ａ
が形成されている。これによって、断熱性カバー３５の複数（３〜４箇所）の係止部３５
Ａを、飲料供給部３０の上壁の複数（３〜４箇所）の係止部４５間に位置させた状態で、
断熱性カバー３５を回動させることによって、係止部３５Ａが係止部４５の上側に挿入さ
れて係止部４５に係止され、断熱性カバー３５が飲料供給部３０の上壁に密着状態に取り
付けられる。
【００２５】
この場合、断熱性カバー３５の向きを特定せずに、どの位置でも断熱性カバー３５の係
止部３５Ａが挿入部８の周辺の係止部４５に係止できるように、係止部３５Ａの間隔と係
止部４５の間隔をそれぞれ等間隔に配置することにより達成できる。断熱性カバー３５の
外周には断熱性カバー３５を回動し易くするためのギザギザの滑り止め部４６が形成され
ている。また、各係止部４５の終端部には、断熱性カバー３５を取り付け時に回動させた
ときの回動停止位置を定めるように、係止部３５Ａが当接するストッパ部４５Ａを形成し
ている。
【００２６】
この場合、断熱性カバー３５を回動にて係止部４５に取り付ける際に、徐々に断熱性カ
バー３５の上面開口３７の周縁部が飲料供給部３０の上壁の挿入部８の周縁部に近接し、
最終段階でこの両者が密着状態となるように、係止部４５の上面を傾斜させれば、断熱性
カバー３５が飲料供給部３０の上壁に密着状態に取り付けられ、また断熱性カバー３５を
逆方向へ回動させれば、断熱性カバー３５を容易に取り外すことができ、断熱性カバー３
５の着脱が容易となる。
【００２７】
また、断熱性カバー３５を飲料供給部３０の上壁に密着状態に着脱自在に取り付けるた
めの他の構成として、断熱性カバー３５の上面開口３７の周縁部にネジを形成し、一方、
飲料供給部３０の上壁の挿入部８の周縁部にもネジを形成し、断熱性カバー３５を回動さ
せることによって、この両方のネジが噛み合うことによって、断熱性カバー３５の上面開
口３７の周縁部が飲料供給部３０の上壁の挿入部８に密着するように構成してもよい。
【産業上の利用可能性】
【００２８】
飲料供給機１及び断熱性カバー３５の着脱構成は、上記実施例に示した構成に限定され
ず、種々の形態のものに適用できるものであり、本発明の技術範囲において種々の形態を
包含するものである。
【図面の簡単な説明】
【００２９】
【図１】本発明に係る飲料供給機の縦断側面図である。
【図２】本発明に係る飲料供給機の説明用斜視図である。
【図３】本発明に係るコップ状断熱性カバーの断面図である。
【図４】本発明に係る断熱性カバーを飲料供給部の上壁に着脱自在に取り付ける構成の１つを示す断面正面図である。
【図５】本発明に係る断熱性カバーとその取付部である飲料供給部の上壁部分を示す分解斜視図である。
【符号の説明】
【００３０】
１・・・・飲料供給機
１Ａ・・・飲料供給機本体
２・・・・飲料ボトル
３・・・・冷却室
４・・・・手動開閉式バルブ体
５・・・・飲料注出口
６・・・・水受け皿
７・・・・蓋
８・・・・挿入部
９・・・・受け部
１２・・・冷却装置
１３・・・圧縮機
１４・・・放熱器
１５・・・減圧部
１６・・・冷却器
１７・・・コップ載置部材
１７Ａ・・貫通孔
２３・・・環状シール材
３０・・・飲料供給部
３５・・・断熱性カバー
３５Ａ・・係止部
３６Ａ・・内殻
３６Ｂ・・外殻
３７・・・上面開口
３９Ａ・・永久磁石
３９Ｂ・・永久磁石
４５・・・係止部
ＵＲ・・・断熱材
【図１】
2009154918.tif 000003
【図２】
2009154918.tif 000004
【図３】
2009154918.tif 000005
【図４】
2009154918.tif 000006
【図５】
2009154918.tif 000007